(57)【特許請求の範囲】
【請求項１】
ハゼ式折板屋根に採光部となる合成樹脂製折板を固定する採光部の施工方法であって、
前記ハゼ式折板屋根は、ハゼ式折板、採光部となる合成樹脂製折板、ボルト付き固定部材、タイトフレーム、アングル、アングル固定部材を有し、前記ボルト付き固定部材で前記採光部となる合成樹脂製折板を固定し、
前記ボルト付き固定部材を、前記ハゼ式折板屋根にかしめることで固定し、
前記ボルト付き固定部材が、前記ハゼ式折板屋根の吊子にかしめることで固定されていることを特徴する採光部の施工方法。
【請求項２】
前記採光部となる合成樹脂製折板の端部が、折り曲げられ、前記ハゼ式折板に押し当てられるように接している請求項１に記載の採光部の施工方法。
【請求項３】
前記ハゼ式折板屋根の凸部分をつなぐように上側より前記アングルを配置し、前記ハゼ式折板と前記採光部となる合成樹脂製折板を、前記アングルおよび前記アングル固定部材にて固定することを特徴する請求項１または２に記載の採光部の施工方法。

【発明の詳細な説明】
【技術分野】
【０００１】
本発明は、ハゼ式折板屋根に採光部を設けるための施工方法に関するものである。
【背景技術】
【０００２】
従来から、ハゼ式折板屋根に採光部を設ける場合、採光性を有する透明また半透明の合成樹脂板を折板形状に加工して使用される。（例えば、特許文献１、２参照。）
しかし、これらの合成樹脂製折板の施工方法では、重ね合わせ部に合成樹脂製成形品を用いるものなど、特殊な周辺部材が多く必要であり、施工が煩雑であった。
【先行技術文献】
【特許文献】
【０００３】
【特許文献１】特開平７−２１７１１０号公報
【特許文献２】特開２００２−８８９８３号公報
【発明の概要】
【発明が解決しようとする課題】
【０００４】
本発明は、簡単な部材で採光部が施工できるハゼ式折板屋根の採光部の施工方法を提供するものである。
【課題を解決するための手段】
【０００５】
このような目的は、以下の本発明の（１）〜（８）により達成される。
（１）  ハゼ式折板屋根に採光部となる合成樹脂製折板を固定する採光部の施工方法であって、前記ハゼ式折板屋根は、ハゼ式折板、採光部となる合成樹脂製折板、タイトフレームを有し、ボルト付き固定部材で前記採光部となる合成樹脂製折板を固定する採光部の施工方法。
（２）  前記ボルト付き固定部材が、１か所以上前記採光部となる合成樹脂製折板を固定している（１）に記載の採光部の施工方法。
（３）  さらに、ハゼ式折板屋根のタイトフレームがない採光部となる合成樹脂製折板を固定するアングル固定部材を配置した（１）または（２）に記載の採光部の施工方法。
（４）  前記採光部となる合成樹脂製折板の端部が、折り曲げられ、ハゼ式折板に押し当てられるように接している（１）〜（３）のいずれか１項に記載の採光部の施工方法。
（５）  前記採光部となる合成樹脂製折板の透過率が、２０％以上９５％以下である（１）〜（４）のいずれか１項に記載の採光部の施工方法。
（６）  前記ボルト付き固定部材を、前記ハゼ式折板屋根にかしめることで固定する（１）〜（５）のいずれか１項に記載の採光部の施工方法。
（７）  前記ボルト付き固定部材が、前記ハゼ式折板屋根の吊子にかしめることで固定され、このボルトに前記合成樹脂製折板を固定する（６）に記載の採光部の施工方法。
（８）  （１）〜（７）のいずれか１項に記載の合成樹脂製折板を固定するボルト付き固定部材。
【発明の効果】
【０００６】
本発明の採光部の施工方法に従うと、採光部となる合成樹脂製折板の施工に必要な固定部材を１種類、または２種類で施工できる簡単な施工方法であり、多くの特殊部材を必要としないため、費用の低減、施工期間の短縮が図れる効果がある。
また、ボルトを使用した折板屋根と同様に施工できるため、特殊な施工方法が必要なく、前記採光部となる合成樹脂製折板を簡易に取り付けることが可能である。
さらに、ハゼ式折板屋根のハゼ式折板と重ね合わせる部分の採光部となる合成樹脂製折板の端部は、ハゼ式折板に押し当てられるよう加工されているので、その他の部材を用いて端部を固定する必要がなく簡単に施工することが可能である。
【図面の簡単な説明】
【０００７】
【図１】本発明のハゼ式折板屋根の概要を示した斜視図である。
【図２】ハゼ式折板屋根におけるボルト付き固定部材の部分の断面図である。
【図３】ハゼ式折板屋根におけるタイトフレームのない部分の断面図である。
【図４】ボルト付き固定部材の部分の断面図の詳細図である。
【図５】タイトフレームがない部分の断面図の詳細図である。
【図６】本発明のボルト付き固定部材の一つの実施形態の断面図である。
【図７】本発明のボルト付き固定部材の一つの実施形態の断面図である。
【図８】本発明のボルト付き固定部材の一つの実施形態の断面図である。
【図９】本発明のボルト付き固定部材の一つの実施形態の断面図である。
【図１０】図９のボルト付き固定部材の詳細図である。
【図１１】本発明の採光部に用いる合成樹脂製折板の一つの実施形態の断面図である。
【図１２】図１１の合成樹脂製折板の端部の拡大図である。
【図１３】ボルト付き固定部材の一つの実施形態の正面図である。
【図１４】ボルト付き固定部材の一つの実施形態の平面図である。
【図１５】ボルト付き固定部材の一つの実施形態の側面図である。
【図１６】タイトフレームに吊子、ハゼ式折板が固定された図である。
【図１７】図１６の状態にボルト付き固定部材を置き、かしめる前の図である。
【図１８】図１７の状態のボルト付き固定部材をかしめて固定した状態の図である。
【図１９】図１８に合成樹脂製折板を固定した図である。
【図２０】ボルト付き固定部材を吊子に固定した図である。
【図２１】図２０に合成樹脂製折板を固定した図である。
【図２２】ボルト付き固定部材をハゼ式折板の幅方向の端部に取り付けられた図である。
【図２３】図２２に合成樹脂製折板を固定した図である。
【図２４】ボルト付き固定部材がハゼ式折板の図２２に示すもう一方の端部に取り付けられた図である。
【図２５】図２４に合成樹脂製折板を固定した図である。
【発明を実施するための形態】
【０００８】
本発明は、ハゼ式折板屋根に採光部となる合成樹脂製折板を固定する採光部の施工方法で、前記ハゼ式折板屋根は、ハゼ式折板、採光部となる合成樹脂製折板、タイトフレームを有し、前記採光部となる合成樹脂製折板をボルト付き固定部材で固定する採光部の施工方法である。
以降、図面を用いて、本発明を詳細に説明する。
まず、図１は、本発明のハゼ式折板屋根の概要を示した斜視図である。符号を記載した側が、ハゼ式折板屋根の端面であり、残り３面は途中までの構造となっている。
図１は、ハゼ式折板１と採光部となる合成樹脂製折板４を有するハゼ式折板屋根であり、採光部となる合成樹脂製折板４を前記ハゼ式折板１で両側から挟み込むものとなっており、
一部重なる部分が存在している。前記採光部となる合成樹脂製折板４はボルト付き固定部材６（２か所）で固定され、さらに、前記ボルト付き固定部材６より内側にアングル７が２つ配置されて、採光部となる合成樹脂製折板４をより強固に固定している。
【０００９】
図２は、ハゼ式折板屋根のタイトフレーム２を有する部分の断面図である。下地３上に
ハゼ式折板１と採光部となる合成樹脂製折板４が設置されたものであり、ハゼ式折板１の内側のタイトフレーム２に、ハゼ式折板１と採光部となる合成樹脂製折板４が接合されている。
前記タイトフレーム２は、凸部分の長さ方向である山一つ分で１か所以上ハゼ式折板１に固定されているものである。好ましくは、複数個所で固定されているものである。
【００１０】
図３は、ハゼ式折板屋根のタイトフレーム２のない部分の断面図である。ハゼ式折板屋根の凸部分をつなぐように上側よりアングル７を配置し、ハゼ式折板１と採光部となる合成樹脂製折板４を、アングル固定部材９にて固定している。このアングル固定部材９は、アングル７とハゼ式折板１および採光部となる合成樹脂製折板の凸部に配置されるものである。アングル固定部材９は、アングル７の両端に設置することが好ましく、３つ以上のハゼ式折屋根の凸部がある場合には、両端以外の内側の凸部は、図５に示す合成樹脂製折板固定部材５で固定してもよい。これらで固定することで、採光部となる合成樹脂製折板４をより強固に固定できる。内側の合成樹脂製折板固定部材５は、以後説明するボルト付き固定部材６としても用いることが可能である。
【００１１】
図４は、採光部となる合成樹脂製折板４を固定する部分の断面図の拡大詳細図である。まず、タイトフレーム２にボルト付き固定部材６を固定する。（タイトフレーム２とボルト付き固定部材６の固定は図示せず。）ボルト付き固定部材６とタイトフレーム２との固定方法は、特に限定されるものではなく、固定されていればどんな方法でもよい。
次に、このボルト付き固定部材６に採光部となる合成樹脂製折板４を固定する。
ハゼ式折板１の固定は、固定部材１０を用いて行う。まずタイトフレーム２に固定部材１０を設置し、その上からハゼ式折板１を重ね合わせ、上記ボルト付き固定部材６により上部よりかしめることで固定する。
ここで、前記合成樹脂製折板４の端部は、折り曲げ加工されており、ハゼ式折板１に押し当てたあと、ハゼ式折板１に接していることが好ましい。ハゼ式折板１に接することにより、毛細管現象による水の浸入を防ぐことができる。
ハゼ式折板１と採光部となる合成樹脂製折板４の重ね合わせる順序は、下からハゼ式折板１、採光部となる合成樹脂製折板４の順であることが好ましい。
【００１２】
図５は、タイトフレーム２がない部分の断面図の詳細である。
ハゼ式折板１の上に前記合成樹脂製折板固定部材５を配置し、採光部となる合成樹脂製折板４とアングル７とを前記合成樹脂製折板固定部材５で固定する。この合成樹脂製折板固定部材５は、採光部となる合成樹脂製折板４を固定するボルト付き固定部材６としても使用できる。
【００１３】
図６〜９は、ボルト付き固定部材６の実施形態の一例の断面図であり、これらに限定されるものではない。
図６のボルト付き固定部材６は、採光部となる合成樹脂製折板４を固定するボルト部分と、タイトフレーム２に固定する板状部分とを有する。前記板状部分の長さは適宜調整可能であり、固定方法も特に限定されるものではない。
図７のボルト付き固定部材６は、前記板状部分が、ハゼ式折半１の端部の形状に近いものであり、図６の板状部分の形状を２か所折り曲げられているものである。
図８のボルト付き固定部材６は、ハゼ式折半の凸部に収まるように曲げ加工がされ、かつ固定用のボルトが追加された形状である。
図９のボルト付き固定部材６は、タイトフレームにそのまま固定するための形状であり、凸部が２か所あり、その２か所に合成樹脂製折半４を固定するためのボルトが設置されている。
図１０は、図９のボルト付き固定部材６のボルト部分の詳細である。
【００１４】
図１１は、本発明に用いる採光部の合成樹脂折板４の一つの実施形態の断面図である。特徴は、ハゼ式折板１に重なる部分を有していること、端部が折り曲げられている形状である。この折り曲げ部を有していることにより、前記合成樹脂折板４がハゼ式折板１に接するため、毛細管現象による水の浸入を防ぐことができ、良好な特性を有するものである。
図１２は、上記端部の折り曲げ部分の拡大図である。
【００１５】
採光部となる合成樹脂製折板４としては、光が透過するものであれば特に制限なく使用することができる。例えば、前記合成樹脂製折板４の透過率が、２０％以上９５％以下であることが好ましい。具体的には、ポリカーボネート樹脂、アクリル樹脂などが挙げられる。
太陽光に直接暴露される上面の折板としては、折板自体に紫外線吸収剤などを入れたものや、表面に紫外線吸収性能を有するアクリル樹脂系、フッ素樹脂系などの耐光性ないし耐候性の高いフィルムが保護層として積層形成されていてもよい。
【００１６】
図１３〜１５は、本発明のボルト付き固定部材のその他の実施形態である。
固定部材の材質は、金属であり、かしめ工具であるガッチャーでかしめることができる厚さのものが好ましい。
【００１７】
図１６〜１９は、ハゼ式折板または、ハゼ式折板の吊子部分にボルト付き固定部材の固定部の一部をかしめることでハゼ式折板に固定する。さらに、ボルト部分に合成樹脂製折板を固定することで、採光部を有する屋根の施工が可能となる。（図１９）
図１６は、吊子部分を有するハゼ式折板であり、図１７は、吊子部分にボルト付き固定部を取り付けた図になる。（かしめ前）
図１８は、吊子部分をかしめることで、ボルト付き固定部材をハゼ式折板に固定した図である。（かしめ後）
図１９は、採光部となる合成樹脂製折板をボルトにパッキン１２と座付きナット１３を用いて固定した図である。
【００１８】
図２０および２１は、図１８および図１９のもう一方の端部の図であり、タイトフレーム、および吊子を設置し、ボルト付き固定部材をかしめることで固定する。そして合成樹脂製折板をボルト付き固定部材のボルトに固定する。
【００１９】
図２２〜２５は、ハゼ式折板の幅方向の端部（２ヶ所）にボルト付き固定部材を固定した図である。図２２および図２４は、ハゼ式折板の吊子部分にボルト付き固定部材を固定した図である。
図２３および図２５は、採光部となる合成樹脂製折板を固定した図である。
タイトフレームの有無にかかわらず合成樹脂製折板を固定できる。
【符号の説明】
【００２０】
１      ハゼ式折板
２      タイトフレーム
３      下地
４      採光部となる合成樹脂製折板
５      合成樹脂製折板固定部材
６      ボルト付き固定部材
７      アングル
８      端部の折り曲げ部
９      アングル固定部材
１０    ハゼ式折板１の固定部材
１１    吊子
１２    パッキン
１３    座付きナット
【図１】
0006015165.tif 000002
【図２】
0006015165.tif 000003
【図３】
0006015165.tif 000004
【図４】
0006015165.tif 000005
【図５】
0006015165.tif 000006
【図６】
0006015165.tif 000007
【図７】
0006015165.tif 000008
【図８】
0006015165.tif 000009
【図９】
0006015165.tif 000010
【図１０】
0006015165.tif 000011
【図１１】
0006015165.tif 000012
【図１２】
0006015165.tif 000013
【図１３】
0006015165.tif 000014
【図１４】
0006015165.tif 000015
【図１５】
0006015165.tif 000016
【図１６】
0006015165.tif 000017
【図１７】
0006015165.tif 000018
【図１８】
0006015165.tif 000019
【図１９】
0006015165.tif 000020
【図２０】
0006015165.tif 000021
【図２１】
0006015165.tif 000022
【図２２】
0006015165.tif 000023
【図２３】
0006015165.tif 000024
【図２４】
0006015165.tif 000025
【図２５】
0006015165.tif 000026